(57)【要約】  発信装置は、信号転送装置に「受信データ信号」を送信する。「受信データ信号」は第１のデータセットを含む。発信装置はまた、信号転送装置及び宛先装置に少なくとも１つの「受信制御信号」を送信する。少なくとも１つの「受信制御信号」は、第１の制御情報セット及び第２の制御情報セットを含む。第１の制御情報セット及び第２の制御情報セットは、両方とも第１のデータセットに関連付けられている。第１の制御情報セットは、信号転送装置が第１のデータセットを処理することに関する命令を含む。第２の制御情報セットは、宛先装置が第１のデータセットを処理することに関する命令を含む。信号転送装置は、宛先装置に「転送信号」を送信する。「転送信号」は、第１のデータセットに基づく転送データを含む。
2019512912.tif 000002
【特許請求の範囲】
【請求項１】
信号転送装置が、第１のデータセットを含む少なくとも１つの受信データ信号を受信することと、
前記信号転送装置及び宛先装置が、第１の制御情報セットと第２の制御情報セットとを含む少なくとも１つの受信制御信号を受信することであって、前記第１の制御情報セットは、第１のデータセットに関連付けられており、かつ前記信号転送装置が前記第１のデータセットを処理することに関する命令を含み、前記第２の制御情報セットは、前記第１のデータセットに関連付けられており、かつ前記宛先装置が前記第１のデータセットを処理することに関する命令を含むことと、
前記第１のデータセットに少なくとも部分的に基づいて、前記信号転送装置から、転送データを含む転送信号を前記宛先装置に送信することとを含む、方法。
【請求項２】
前記少なくとも１つの受信制御信号は、前記第１の制御情報セットと前記第２の制御情報セットとを含む１つの受信制御信号を含む、請求項１に記載の方法。
【請求項３】
前記少なくとも１つの受信制御信号は、複数の受信制御信号を含み、前記複数の受信制御信号は、全体として前記第１の制御情報セットと前記第２の制御情報セットとを含む、請求項１に記載の方法。
【請求項４】
前記宛先装置における前記少なくとも１つの受信制御信号の受信と前記宛先装置における前記転送信号の受信との間の予想される時間遅延を前記宛先装置に供給することを更に含む、請求項１に記載の方法。
【請求項５】
前記第１の制御情報セットは第１の空間ベクトルを用いて送信され、前記第２の制御情報セットは第２の空間ベクトルを用いて送信される、請求項１に記載の方法。
【請求項６】
前記第１の制御情報セットは第１の符号化率で符号化されており、前記第２の制御情報セットは第２の符号化率で符号化されている、請求項１に記載の方法。
【請求項７】
前記第１の制御情報セットは第１の変調方法に従って変調されており、前記第２の制御情報セットは第２の変調方法に従って変調されている、請求項１に記載の方法。
【請求項８】
前記第１の制御情報セットは、キャリア周波数、リソース割り当て、変調／符号化率、多入力多出力（ＭＩＭＯ）方式の詳細、ハイブリッド自動再送要求（ＨＡＲＱ）関連情報、及び、発信元識別子及び／又は宛先識別子、のうちの少なくとも１つを含む、請求項１に記載の方法。
【請求項９】
前記第２の制御情報セットは、キャリア周波数、リソース割り当て、変調／符号化率、多入力多出力（ＭＩＭＯ）方式の詳細、ハイブリッド自動再送要求（ＨＡＲＱ）関連情報、及び、発信元識別子及び／又は宛先識別子、のうちの少なくとも１つを含む、請求項１に記載の方法。
【請求項１０】
特定の少なくとも１つの受信制御信号がどの特定の転送信号に対応するかを識別するための関連付けシーケンス番号とｎビット下り制御情報（ＤＣＩ）インジケータとのうちの少なくとも一方を割り当てることを更に含む、請求項１に記載の方法。
【請求項１１】
第１のデータセットを含む少なくとも１つの受信データ信号を送信するように構成された送信部を含む発信装置と、
信号転送装置であって、
少なくとも１つの前記受信データ信号を受信するように構成された受信部と、
宛先装置に転送信号を送信するように構成された送信部であって、前記転送信号は、前記第１のデータセットに少なくとも部分的に基づく転送データを含む送信部と、を含む、信号転送装置と、を備え、
前記発信装置の前記送信部はさらに、第１の制御情報セットと第２の制御情報セットとを含む少なくとも１つの受信制御信号を前記信号転送装置および前記宛先装置に送信するように構成されており、前記第１の制御情報セットは、前記第１のデータセットに関連付けられており、かつ前記信号転送装置が前記第１のデータセットを処理することに関する命令を含み、第２の制御情報セットは、前記第１のデータセットに関連付けられており、かつ前記宛先装置が前記第１のデータセットを処理することに関する命令を含む、システム。
【請求項１２】
前記少なくとも１つの受信制御信号は、前記第１の制御情報セットと前記第２の制御情報セットとを含む１つの受信制御信号を含む、請求項１１に記載のシステム。
【請求項１３】
前記少なくとも１つの受信制御信号は、複数の受信制御信号を含み、前記複数の受信制御信号は、全体として前記第１の制御情報セットと前記第２の制御情報セットとを含む、請求項１１に記載のシステム。
【請求項１４】
前記宛先装置はさらに、前記宛先装置における前記少なくとも１つの受信制御信号の受信と前記宛先装置における前記転送信号の受信との間の予想される時間遅延を決定するように構成された制御部を備える、請求項１１に記載のシステム。
【請求項１５】
前記第１の制御情報セットは第１の空間ベクトルを用いて送信され、前記第２の制御情報セットは第２の空間ベクトルを用いて送信される、請求項１１に記載のシステム。
【請求項１６】
前記第１の制御情報セットは第１の符号化率で符号化されており、前記第２の制御情報セットは第２の符号化率で符号化されている、請求項１１に記載のシステム。
【請求項１７】
前記第１の制御情報セットは、第１の変調方法に従って変調されており、前記第２の制御情報セットは、第２の変調方法に従って変調されている、請求項１１に記載のシステム。
【請求項１８】
前記第１の制御情報セットは、キャリア周波数、リソース割り当て、変調／符号化率、多入力多出力（ＭＩＭＯ）方式の詳細、ハイブリッド自動再送要求（ＨＡＲＱ）関連情報、及び、発信元識別子及び／又は宛先識別子、のうちの少なくとも１つを含む、請求項１１に記載のシステム。
【請求項１９】
前記第２の制御情報セットは、キャリア周波数、リソース割り当て、変調／符号化率、多入力多出力（ＭＩＭＯ）方式の詳細、ハイブリッド自動再送要求（ＨＡＲＱ）関連情報、及び、発信元識別子及び／又は宛先識別子、のうちの少なくとも１つを含む、請求項１１に記載のシステム。
【請求項２０】
前記発信装置はさらに、関連付けシーケンス番号とｎビット下り制御情報（ＤＣＩ）インジケータとの少なくとも一方を特定の少なくとも１つの受信制御信号に割り当てるように構成された制御部を備え、前記発信装置の前記送信部はさらに、関連付けシーケンス番号とｎビット（ＤＣＩ）インジケータとの割り当てられた前記少なくとも一方を前記信号転送装置及び前記宛先装置に送信するように構成されており、前記信号転送装置の前記送信部はさらに、関連付けシーケンス番号とｎビットＤＣＩインジケータとの割り当てられた前記少なくとも一方を含むように構成されている、請求項１１に記載のシステム。
【発明の詳細な説明】
【優先権の主張】
【０００１】
本出願は、２０１６年３月２日に出願された「リレーシナリオのためのコントロールシグナリング」と題する仮出願第６２／３０２，６５７号、及び２０１６年３月７日に出願された「リレーシナリオのためのデュアルコントロールシグナリングシステム及び方法」と題する仮出願第６２／３０４，７３８号の優先権を主張し、それら両方はその譲受人に譲渡されており、またそれら両方は参照によりその全体が本明細書に明示的に援用される。
【技術分野】
【０００２】
本発明は、一般に無線通信に関し、より詳細には、信号転送装置及び宛先装置に制御情報を供給することに関する。
【背景技術】
【０００３】
通信システムの中には、リピータ局、リレー局、又は自己バックホール局などの信号転送装置を利用して、ユーザ機器（ＵＥ）装置とコアネットワークとの間の情報の転送を容易にするものがある。信号転送装置は、通常、コアネットワークに直接接続されてはいないものの、ＵＥ装置とコアネットワークに接続された基地局との間で情報を転送することによって、ＵＥ装置にサービスを提供する。信号転送装置がリピータである場合、リピータは、単に、他の基地局から受信した下り信号をＵＥ装置に再送信し、ＵＥ装置から受信した上り信号を他の基地局に再送信する。リピータは、フィルタリング、周波数シフト、及び増幅などの限定された信号処理を着信信号に適用することができるが、リピータは、転送される着信信号を復号しない。リレー局及び自己バックホール局は、情報を再送信する前に、少なくともいくらかの信号処理を実行する。このような処理は、着信信号の部分的な復号化から完全な復号化まで様々であってもよい。例えば、着信信号は完全に復号されて、新たな信号を生成するために用いられてもよく、又は着信信号は完全には復号されずに、転送される出力信号を送信するために引き続き用いられてもよい。様々なレベルの処理（転送方法）の一部は、増幅転送（ＡＦ）、部分復号転送（ＰＤＦ）、復号転送（ＤＦ）方式と呼ばれることがある。
【発明の概要】
【０００４】
発信装置は、信号転送装置に「受信データ信号」を送信する。「受信データ信号」は第１のデータセットを含む。発信装置はまた、信号転送装置及び宛先装置に少なくとも１つの「受信制御信号」を送信する。少なくとも１つの「受信制御信号」は、第１の制御情報セット及び第２の制御情報セットを含む。第１の制御情報セット及び第２の制御情報セットは、両方とも第１のデータセットに関連付けられている。第１の制御情報セットは、信号転送装置が第１のデータセットを処理することに関する命令を含む。第２の制御情報セットは、宛先装置が第１のデータセットを処理することに関する命令を含む。信号転送装置は、宛先装置に「転送信号」を送信する。「転送信号」は、第１のデータセットに基づく転送データを含む。
【図面の簡単な説明】
【０００５】
【図１】発信装置と、信号転送装置と、宛先装置とを含む無線通信システムの一例のブロック図である。
【０００６】
【図２】図１の無線通信システムを利用して信号転送装置及び宛先装置に制御情報を供給する方法の一例のフローチャートである。
【発明を実施するための形態】
【０００７】
上述したように、通信システムは、リピータ、リレー装置及び自己バックホール基地局を利用して、基地局と基地局によりサービスされるＵＥ装置との間で送信される信号を転送することが多い。信号は、基地局からＵＥ装置に転送されるか、ＵＥ装置から基地局に転送されるか、又はそれら両方であってよい。システムによっては、信号転送装置（例えば、リピータ、リレー装置など）とＵＥ装置との間の通信チャネルについての通信リソースのスケジューリングは、基地局のスケジューラ、又は基地局に接続された集中スケジューラによって実行される。本明細書で説明する例では、スケジューラは、信号転送装置が信号を転送する／転送される基地局に配置されるか、又は接続されるものとする。ただし、スケジューラは、物理的に基地局に配置されなくてもよく、他の適切な位置（例えば、信号転送装置、又は基地局が属する無線アクセスネットワーク内のどこか他の位置）に配置されてもよい。
【０００８】
典型的なリレーシナリオでは、アンカー基地局は、リレーノードに適用可能な制御情報のみを送信する。リレーノードは、データを復号し、リレー装置とＵＥ装置との間の通信リンクに関するＵＥ装置のフィードバックに応じて、適切な制御チャネルを構成し、それ自身のスケジューラに基づいてデータを再割り当てする。ただし、本明細書で説明する例では、アンカー基地局が、両方とも同じデータに関連付けられた２つの制御情報セットを送信する様々な方法、装置、及びシステムについて説明する。
【０００９】
信号転送装置は実施例の中心であるので、説明全体を通して使用される用語は、信号転送装置を中心とする。より具体的には、「発信装置」は、信号転送装置に信号を送信する装置であり、発信装置から信号転送装置で受信される信号を「受信信号」と呼ぶ。同様に、「宛先装置」は、信号転送装置が本明細書で「転送信号」と呼ぶ信号を送信する先の装置であり、。さらに、以下の例のほとんどは、基地局を「発信装置」、ＵＥ装置を「宛先装置」と呼ぶが、ＵＥ装置が「発信装置」であり、基地局が「宛先装置」であるように当該例を変更してもよい。
【００１０】
図１は、発信装置と、信号転送装置と、宛先装置とを含む無線通信システム１００の一例のブロック図である。発信装置１１０及び宛先装置１１４は、任意の種類の無線通信装置であってよく、固定式又は携帯型であってよい。本明細書で説明する例では、発信装置１１０は基地局であり、宛先装置１１４はハンドセットなどのユーザ機器（ＵＥ）装置である。ただし、装置１１０，１１４は、他の環境では異なるタイプの装置であってよい。例えば、両方の装置がＵＥ装置であってよい。状況によっては、発信装置、信号転送装置、及び宛先装置はすべてＵＥ装置である。
【００１１】
図１の例では、発信装置１１０は、宛先装置１１４に下り無線通信サービスを提供する。したがって、宛先装置１１４は、直接、又は信号転送装置１３８を介して、発信装置１１０から下り信号（図示せず）を受信する。下り信号は、アンテナ１２４及び受信部１３０を介して宛先装置１１４で受信される。宛先装置１１４は、制御部１２８及び送信部１２６を更に備える。発信装置１１０は、アンテナ１１６及び送信部１２２を介して宛先装置１１４に下り信号を送信する。発信装置１１０は、制御部１２０及び受信部１１８を更に備える。
【００１２】
スケジューラ１３２は、図１に示す例では発信装置１１０に配置されている。ただし、システム１００は、スケジューラ１３２が任意の他の適切な位置に配置されるように変更されてもよい。スケジューラは、発信装置１１０に直接接続されるか、又はバックホール又は他の通信リンクを介して接続された機器上で動作するアプリケーションであってよい。スケジューラ１３２の位置にかかわらず、システム１００内の様々な通信リンクに関するチャネル品質情報（ＣＱＩ）１３４は、システム１００内の様々なエンティティによって使用される通信リソースをＣＱＩ１３４の使用によってスケジューリングするスケジューラ１３２に提供される。例えば図１に示すように、スケジューラ１３２は、発信装置１１０と宛先装置１１４との間の通信リンクに関するＣＱＩと、発信装置１１０と信号転送装置１３８との間の通信リンクに関するＣＱＩと、信号転送装置１３８と宛先装置１１４との間の通信リンクに関するＣＱＩとを利用する。スケジューラ１３２は、これら３つの通信リンクのうちの少なくとも１つについてのチャネル品質に基づいて、通信リソースをスケジューリングする。
【００１３】
図１に示す例では、発信装置１１０は、受信データ信号１３６（例えば、下り信号）を信号転送装置１３８に送信し、信号転送装置１３８はアンテナ１４０及び受信部１４２を介して受信データ信号１３６を受信する。受信データ信号１３６は、第１のデータセットを含む。
【００１４】
発信装置１１０はまた、少なくとも１つの受信制御信号１３７を信号転送装置１３８と宛先装置１１４との両方に送信する。場合によっては、少なくとも１つの受信制御信号１３７は、第１の制御情報セットと第２の制御情報セットとを含む１つの受信制御信号を含む。他の例では、少なくとも１つの受信制御信号１３７は、全体として第１の制御情報セットと第２の制御情報セットとを含む複数の受信制御信号を含む。例えば、第１の制御情報セットは第１の送信で送信されてもよく、かつ第２の制御情報セットは第２の送信で送信されてもよい。
【００１５】
少なくとも１つの受信制御信号１３７を送信するのに用いられる信号／送信の数にかかわらず、少なくとも１つの受信制御信号１３７は第１の制御情報セット及び第２の制御情報セットを含む。第１の制御情報セットは、第１のデータセットに関連付けられており、信号転送装置１３８が第１のデータセットを処理すること（例えば、復調、復号など）に関する命令を含む。第２の制御情報セットは、同様に第１のデータセットに関連付けられており、宛先装置１１４が第１のデータセットを処理すること（例えば、復調、復号など）に関する命令を含む。このように、第１の制御情報セット及び第２の制御情報セットは、両方とも同じデータセットに関連付けられている。例において、第１の制御情報セットは、信号転送装置１３８において第１のデータセットを後処理することと、信号転送装置１３８において第１のデータセットを復号することと、信号転送装置１３８において第１のデータセットを後処理して、宛先装置１１４に送信される転送データを生成することとのうちの１つ以上に関する命令を含む。
【００１６】
第１の制御情報セットは、キャリア周波数、リソース割り当て、変調／符号化率、多入力多出力（ＭＩＭＯ）方式の詳細、ハイブリッド自動再送要求（ＨＡＲＱ）関連情報、及び発信元識別子及び／又は宛先識別子のうちの、１つ以上を含むことができる。信号転送装置１３８は、第１の制御情報セットから含まれる情報の任意のものを用いて、第１のデータセットを処理し、及び／又は宛先装置１１４に送信される転送データを生成することができる。同様に、第２の制御情報セットは、キャリア周波数、リソース割り当て、変調／符号化率、多入力多出力（ＭＩＭＯ）方式の詳細、ハイブリッド自動再送要求（ＨＡＲＱ）関連情報、及び発信元識別子及び／又は宛先識別子を含む。宛先装置１１４は、第２の制御情報セットから含まれる情報の任意のものを用いて、第１のデータセットに基づいた、かつ信号転送装置１３８によって送信された転送データを処理することができる。
【００１７】
例において、少なくとも１つの受信制御信号１３７は、１つ又は複数のビーム形成された下り信号として発信装置１１０によって送信される。このようなシナリオでは、発信装置１１０の送信部１２２は、第１の空間ベクトルを用いて第１の制御情報セットを送信し、かつ第２の空間ベクトルを用いて第２の制御情報セットを送信するように構成されている。より具体的には、例えば、第１の制御情報セットは空間ベクトルｅ１を用いて送信されてもよく、かつ第２の制御情報セットは空間ベクトルｅ２を用いて送信されてもよい。
【００１８】
他の例において、少なくとも１つの受信制御信号１３７は、第１の制御情報セットと第２の制御情報セットとに対して異なる符号化率を用いて発信装置１１０により送信される。例えば、発信装置１１０は、第１の制御情報セットを第１の符号化率で符号化し、かつ第２の制御情報セットを第２の符号化率で符号化するように構成された符号器（図示せず）を有することができる。より具体的には、例えば、第１の制御情報セットは２／３の符号化率で符号化されてもよく、かつ第２の制御情報セットは１／３の符号化率で符号化されてもよい。
【００１９】
さらなる例では、少なくとも１つの受信制御信号１３７は、第１の制御情報セットと第２の制御情報セットとに対して異なる変調方法を使用して発信装置１１０により送信される。例えば、発信装置１１０の送信部１２２は、第１の制御情報セットを第１の変調方法に従って変調し、かつ第２の制御情報セットを第２の変調方法に従って変調するように構成された変調器（図示せず）を有することができる。これに関して、任意の適切な変調方法を使用して、第１の制御情報セット及び第２の制御情報セットをそれぞれ変調することができる。
【００２０】
信号転送装置１３８は、制御部１４４及び送信部１４６、ならびに他の電子機器、ハードウェア、及びコードを更に備える。信号転送装置１３８は、本明細書で説明する機能を実行する任意の固定式、移動式、又は携帯型の機器である。信号転送装置１３８を参照して説明されるブロックの種々の機能及び動作は、任意の数の装置、回路、又は素子において実施されてもよい。機能ブロックのうちの２つ以上は単一の装置に統合されてよく、任意の単一の装置において実行されるように説明される機能は、複数の装置にわたって実施されてよい。
【００２１】
制御部１４４は、本明細書で説明される機能を実行し、かつ信号転送装置１３８の機能全体を促進する、ハードウエア、ソフトウエア、及び／又はファームウエアの任意の組み合わせを含む。適切な制御部１４４の一例は、メモリに接続されたマイクロプロセッサ又はプロセッサ装置上で動作するコードを含む。送信部１４６は、宛先装置１１４に無線信号を送信するように構成された電子装置を含む。状況によっては、送信部１４６は、複数の送信部を含むことができる。受信部１４２は、発信装置１１０から無線信号を受信するように構成された電子装置を含む。状況によっては、受信部１４２は、複数の受信部を含むことができる。受信部１４２及び送信部１４６は、それぞれ、アンテナ１４０を介して信号を受信及び送信する。アンテナ１４０は、別個の送信アンテナ及び受信アンテナを含むことができる。環境によっては、アンテナ１４０は、複数の送信アンテナ及び受信アンテナを含むことができる。
【００２２】
図１の例の送信部１４６及び受信部１４２は、変調及び復調を含む高周波（ＲＦ）処理を実行する。したがって、受信部１４２は、低雑音増幅器（ＬＮＡ）及びフィルタなどの構成要素を含むことができる。送信部１４６は、フィルタ及び増幅器を含むことができる。他の構成要素には、アイソレータ、整合回路、及びその他のＲＦコンポーネントが含まれてもよい。これらの構成要素は、他の構成要素と組み合わせて、又は協働して、信号転送機能を実行する。必要な構成要素は、利用される特定の信号転送方式に依存してもよい。以下により詳細に説明されるように、図１に示す例では、受信データ信号１３６に含まれる第１のデータセットは、復調信号を復号することなく復調され、その結果のシンボルが、転送信号１４８の一部として変調及び送信される。しかし、他の例では、第１のデータセットに少なくとも部分的に基づく転送データを含んだ転送信号１４８を生成する前に、第１のデータセットを復号することもできる。
【００２３】
送信部１４６は変調器（図示せず）を含み、受信部１４２は復調器（図示せず）を含む。変調器は、転送信号１４８の一部として送信される信号を変調し、複数の変調次数のうちの任意の１つを適用することができる。知られているように、変調次数は、デジタル変調に供される送信データを表すのに用いられる異なるシンボルの数を決定する。変調次数と、必要なエネルギーと、ビットエラーレート（ＢＥＲ）との間にはトレードオフが存在する。変調次数が増加するにつれて、同じＢＥＲを維持するためには、ビット当たりの平均エネルギーも増加させなければならない。復調器は、受信データ信号１３６及び少なくとも１つの受信制御信号１３７を、ともに複数の変調次数のうちの１つに従って復調する。ただし、宛先装置１１４への送信に対する変調次数は、スケジューラ１３２によって確立される。
【００２４】
図１に示す例では、信号転送装置１３８は、固定された装置、又はシステム展開時に特定の位置に設置される装置であってよい。このような機器の例には、固定基地局又は固定トランシーバ局が含まれる。状況によっては、信号転送装置１３８は、特定の位置に一時的に設置される移動機器であってもよい。このような機器の例には、発電機、太陽光パネル、及び／又はバッテリなどの発電装置を含むことができる移動トランシーバ局が含まれる。大型及び大重量型のこのような装置は、トレーラーによって輸送されてもよい。
【００２５】
さらに他の状況では、信号転送装置１３８は、任意の特定の位置に固定されない携帯型装置であってよい。したがって、信号転送装置１３８は、環境によっては、ＵＥ装置などの携帯型ユーザ装置であってもよい。実施態様によっては、信号転送装置１３８は、ＵＥ装置にサービスすることに加えて信号転送機能を実行する基地局、ｅＮＢ、又はアクセスポイントであってよい。例えば、アンカーｅＮＢに接続された自己バックホールｅＮＢは、いくつかのＵＥ装置に対しては、発信装置１１０（例えば、アンカーｅＮＢ）への無線バックホールを利用して他のＵＥ装置に直接サービスすることに加えて信号転送機能を実行するように構成されてよい。
【００２６】
信号転送装置１３８は、着信信号を転送するときに、以下で詳細に説明する信号転送方式のうちの１つ以上を適用することもできる。図１に示す例では、信号転送装置１３８は、受信データ信号１３６に単一の信号転送方式を適用する。あるいは、信号転送装置１３８は、受信データ信号１３６又はその一部に対して１つ又は複数の信号転送方式を動的に適用することができる。例えば、信号転送装置１３８は、受信データ信号１３６の異なる部分に対して異なる信号転送方式を適用することができる。
【００２７】
第１の制御情報セットはさらに、受信データ信号１３６を処理して転送信号１４８を生成するときに信号転送装置１３８によってどの信号転送方式が適用されるべきかに関する命令を含むことができる。例えば、信号転送方式は、増幅転送（ＡＦ）信号転送方式、復号転送（ＤＦ）信号転送方式、部分復号転送（ＰＤＦ）信号転送方式、及び発信装置宛先装置間の直接信号転送方式のうちの１つ以上から選択することができる。
【００２８】
信号転送装置１３８は、着信信号を転送するときに、少なくとも一種類の部分復号転送（ＰＤＦ）信号転送方式を適用することが可能である。状況によっては、信号転送装置１３８は、一種類より多い信号転送方式を適用することができる。信号転送装置１３８は、例えば、増幅転送（ＡＦ）方式、復号転送（ＤＦ）方式、及びＰＤＦ方式のうちの少なくとも１つを適用することが可能である。本明細書で説明するように、信号転送方式は、着信信号に適用される処理のパラメータ、方法、及び／又はレベルに基づいて転送信号１４８を生成する。信号転送方式は、３つの基本グループに分類することができる。
【００２９】
例えば、リピータ信号転送方式は、一般に、着信信号を受信して再送信する再送信方式を含む。最低でも、着信信号（例えば、受信データ信号１３６）は転送信号１４８として増幅及び再送信される。着信信号に何らかの処理が適用されるリピータ方式が存在する。例えば、着信信号は、フィルタリングされ、及び／又は周波数シフトされてもよい。しかし、一般的に、リピータ信号転送方式において着信信号は復調も復号もされない。リピータ方式は、増幅転送（ＡＦ）方式と呼ばれることがある。
【００３０】
リレー信号転送方式は、転送信号を生成するための着信信号の少なくともいくらかの復号化を含み、その復号化レベルは、着信信号の最小限の復号化から完全な復号化まで及んでもよい。完全な復号には、着信信号を完全に復号してペイロードを抽出し、次いで復号されたデータを適用して新たな転送信号を生成することが含まれる。完全な復号方式は、復号転送（ＤＦ）方式と呼ばれることがある。いくつかの提案された技術は、信号からデータを抽出するための完全な復号を行わずに、転送信号を送信するための着信信号の部分的な復号化を含む。これらの方式は、部分復号転送（ＰＤＦ）方式と呼ばれることがある。
【００３１】
ＡＦ信号転送方式は、ベースバンド信号処理が行われないため、生じる処理遅延は比較的少ない。大抵の場合、この方式は、信号増幅時にノイズが増加するため、比較的に性能が劣る。一方、ＡＦ方式は、比較的低いレベルの処理であるためにレイテンシを最小にする。しかしながら、ＤＦ信号転送方式によって転送される信号は、信号を復号するために実行されるベースバンド処理に起因してノイズが大きく低下し、その結果、ノイズキャンセルが生じる。低ノイズ化の恩恵は、処理遅延の増加という代償を伴い、レイテンシが比較的高くなる結果となる。多くの場合、ＰＤＦ信号転送方式は、ＤＦ方式及びＡＦ方式と比較して、信号品質とレイテンシとの適切なトレードオフを有すると考えられている。図１に示す例では、受信データ信号１３６に含まれる第１のデータセットは、復調信号を復号することなく復調され、その結果のシンボルは、転送信号１４８の一部として変調及び送信される。一方、第１のデータセットは完全には復号されないため、処理遅延はＤＦ方式と比較して大幅に低減される。しかし、他の例では、第１のデータセットに少なくとも部分的に基づく転送データを含んだ転送信号１４８を生成する前に、第１のデータセットを復号することもできる。
【００３２】
例示的な実施形態における信号転送装置１３８によって適用されるＰＤＦ方式は、再送信の前に、より少ない受信シンボルを蓄積して低次変調シンボルを形成することを含む。このシナリオは、信号転送装置１３８と宛先装置１１４との間の典型的なリンクが、発信装置１１０と信号転送装置１３８との間のリンクと比較して比較的低い信号対雑音比（ＳＮＲ）を有するために生じる。状況によっては、例えば発信装置１１０と信号転送装置１３８との間の発信装置転送装置間（ＯＤ−ＳＦＤ）チャネルは、通常、両方の装置が固定されているために静的であるが、信号転送装置１３８と宛先装置１１４との間の信号転送装置宛先装置間（ＳＦＤ−ＤＤ）チャネルは、宛先装置１１４が移動可能であるため、一般に動的である。
【００３３】
どの信号転送方式が受信データ信号１３６に適用されるかにかかわらず、発信装置１１０は少なくとも１つの受信制御信号１３７を信号転送装置１３８と宛先装置１１４との両方に送信する。少なくとも１つの受信制御信号１３７は、第１の制御情報セットと第２の制御情報セットとの両方を含むデュアル制御チャネルを介して送信され、少なくとも１つの受信制御信号１３７が、レイヤード変調、周波数分割多重、符号分割多重、時分割多重、又は空間分割多重アクセス（ＳＤＭＡ）などの様々なタイプのデータ処理システムに適用することができる。ＳＤＭＡが使用される場合、第１のビーム形成下り信号は信号転送装置１３８に向けられ、第２のビーム形成下り信号は宛先装置１１４に向けられる。
【００３４】
デュアル制御チャネルを介した少なくとも１つの受信制御信号１３７の送信は、（１）発信装置１１０の制御プレーン配信が、信号転送装置１３８と宛先装置１１４との両方に容易に到達することができ（例えば、より低い変調次数に起因する）、（２）発信装置１１０のデータプレーン配信は、宛先装置１１４に直接到達することができないシナリオにおいて有用である。さらに、物理下り制御チャネル（ＰＤＣＣＨ）が第１の制御情報セット及び第２の制御情報セットの配信に使用される場合、信号転送装置１３８への制御情報の送信に関連付けられた探索空間は、宛先装置１１４への制御情報の送信に関連付けられた探索空間とは異なることがある。。この場合、２つの異なるＰＤＣＣＨ探索空間は、両方とも物理下り共有チャネル（ＰＤＳＣＨ）内の同じデータリソースにマッピングされる。
【００３５】
上述したように、信号転送装置１３８は、第１の制御情報セットに従って、受信データ信号１３６に含まれる第１のデータセットを処理する。信号転送装置１３８は、転送信号１４８を生成するように構成された制御部１４４を有する。転送信号１４８を生成する際、信号転送装置１３８は、転送データを生成するために、第１の制御情報セットに含まれた任意の前処理命令を第１のデータセットに適用することができる。転送信号１４８は、第１のデータセットに少なくとも部分的に基づいて、転送データを含む。
【００３６】
信号転送装置１３８は、転送信号１４８を送信部１４６及びアンテナ１４０を介して宛先装置１１４に送信する。このようにして、信号転送装置１３８は、第１のデータセットを宛先装置１１４に送信する。本明細書で説明する例では、転送信号１４８は、ＳＦＤ−ＤＤチャネルの単一の周波数帯域内で送信される。受信された受信データ信号１３６は、単一の周波数帯域をも含む発信装置信号転送装置間チャネル（ＯＤ−ＳＦＤチャネル）内で送信される。ただし、ＯＤ−ＳＦＤチャネル及びＳＦＤ−ＤＤチャネルには、周波数帯域と周波数サブ帯域との任意の組合せを用いることができる。
【００３７】
図１に示す例では、宛先装置１１４は、宛先装置１１４における少なくとも１つの受信制御信号１３７の受信と宛先装置１１４における転送信号１４８の受信との間の予想される時間遅延を認識する。例えば、予想される時間遅延は、発信装置１１０と信号転送装置１３８との間の伝搬遅延と、信号転送装置１３８における処理遅延と、信号転送装置１３８と宛先装置１１４との間の伝搬遅延との和に等しくなってもよい。あるいは、予想される時間遅延は固定されてもよい（例えば、サブフレームの倍数とすることができる）。例えば、宛先装置１１４が転送信号１４８の受信前に少なくとも１つの受信制御信号１３７の１サブフレームを受信することがわかっている場合、予想される時間遅延は１サブフレームであってもよい。予期される時間遅延を決定するのに使用される方法にかかわらず、予想される時間遅延が、宛先装置１１４に供給されてよく、又は宛先装置１１４の制御部１２８によって決定されてよい。
【００３８】
さらに他の例では、関連付けシーケンス番号又はｎビットの下り制御情報（ＤＣＩ）インジケータを用いて、特定の少なくとも１つの受信制御信号１３７を特定の転送信号１４８に関連付けることができる。より具体的には、発信装置１１０は、特定の受信制御信号１３７に割り当てられた関連付けシーケンス番号又はｎビットＤＣＩインジケータを、信号転送装置１３８及び宛先装置１１４に供給する。信号転送装置１３８は、転送信号１４８に、割り当てられた関連付けシーケンス番号又はｎビットＤＣＩインジケータを含む。したがって、宛先装置１１４は、受信制御信号１３７及び転送信号１４８に同じ関連付けシーケンス番号又はｎビットＤＣＩインジケータが割り当てられている場合、特定の受信制御信号１３７及び特定の転送信号１４８が互いに対応すると判定することができる。
【００３９】
例において、宛先装置１１４の制御部１２８は、転送信号１４８の受信に応答して、転送信号１４８を測定して信号転送装置１３８と宛先装置１１４との間の信号転送装置宛先装置間（ＳＦＤ−ＤＤ）チャネルに関連付けられたチャネル測定値を取得するように構成されている。転送信号１４８の測定後に、宛先装置１１４の送信部１２６は、ＳＦＤ−ＤＤチャネル測定値を発信装置１１０に送信する。ＳＦＤ−ＤＤチャネル測定値は、発信装置１１０に直接送信されてもよい。あるいは、ＳＦＤ−ＤＤチャネル測定値を、最初に信号転送装置１３８に送信することができ、次いで信号転送装置１３８がＳＦＤ−ＤＤチャネル測定値を発信装置１１０に送信することができる。
【００４０】
例において、宛先装置１１４は、フィードバック信号の一部として信号転送装置１３８を介して直接的又は間接的に発信装置１１０にＳＦＤ−ＤＤチャネル測定値を送信することもできる。あるいは、ＳＦＤ−ＤＤチャネル測定値をフィードバック信号とは別個に送信することができる。例えば、フィードバック信号は、宛先装置１１４によって受信された１つ又は複数の下り信号に関連付けられた下りチャネル測定値を含む下りチャネルフィードバックレポートを含むことができる。例えば、下りチャネルフィードバックレポートは、発信装置１１０から受信した下り信号の下りチャネル測定値、及び／又は発信装置１１０以外の１つ又は複数の基地局から受信した１つ又は複数の下り信号の下りチャネル測定値を含むことができる。下りチャネルフィードバックレポートはさらに、下りチャネル測定が行われたリソース（例えば、タイムスロット、サブキャリア、参照信号など）の位置を含むことができる。
【００４１】
下りチャネルフィードバックレポートは、下りチャネル測定が行われたキャリア、下り信号を送信した発信装置１１０に関連付けられたセル識別子、及び／又はビーム形成された下り信号に関連付けられた空間ベクトルを識別することもできる。例において、下りチャネルフィードバックレポートは、下り信号を送信した発信装置１１０以外の基地局に関連付けられたセル識別子を識別することができる。このシナリオは、下り信号が発信装置１１０以外の基地局から受信されるが、宛先装置１１４が発信装置１１０に配置されたスケジューラ１３２に下りチャネルフィードバックレポートを提出する必要がある場合に発生してもよい。
【００４２】
さらに別のシナリオでは、宛先装置１１４は、第１の装置（例えば、発信装置１１０）からの下り信号を下り信号の主キャリアとして受信することができ、また第２の装置（例えば、信号転送装置１３８、又は発信装置１１０以外の基地局）からの下り信号を下り信号の副キャリアとして受信することができる。このようなシナリオでは、下りチャネルフィードバックレポートは、（１）下りチャネル測定が行われた主キャリア及び／又は副キャリアを特定し、（２）主キャリアを送信した第１の装置に関連付けられたセル識別子及び／又は副キャリアを送信した第２の装置に関連付けられたセル識別子及び／又は（３）１つ又は複数のビーム形成された下り信号のそれぞれに個別に関連付けられた空間ベクトルを含むことができる。
【００４３】
あるいは、フィードバック信号は、肯定の確認応答（ＡＣＫ）又は否定応答（ＮＡＣＫ）のいずれかからなってもよい確認応答を含むことができる。ＡＣＫメッセージは、下り信号が宛先装置１１４によって正常に受信されたことを示す。ＮＡＣＫメッセージは、下り信号が宛先装置１１４によって正常に受信されなかったことを示す。状況によっては、ＡＣＫ／ＮＡＣＫメッセージは、信号転送装置１３８によって発信装置１１０に転送されるメッセージである。他の状況では、ＡＣＫ／ＮＡＣＫメッセージは、信号転送装置１３８用のメッセージである。さらに他の状況では、ＡＣＫメッセージは、信号転送装置１３８と発信装置１１０との両方への通知であってもよい。フィードバック信号が確認応答レスポンスを含むシナリオでは、フィードバック信号はさらに、下り信号が受信されたキャリア、下り信号を送信した発信装置１１０に関連付けられたセル識別子、下り信号を送信した発信装置１１０以外の基地局に関連付けられたセル識別子、及び／又はビーム形成された下り信号に関連付けられた空間ベクトルを特定することができる。
【００４４】
フィードバック信号の内容にかかわらず、ＳＦＤ−ＤＤチャネル測定値は、直接、又は信号転送装置１３８を介して、発信装置１１０へのフィードバック信号とともに、又はフィードバック信号から分離して送信されてもよい。発信装置１１０の制御部１２０は、ＳＦＤ−ＤＤチャネル測定値の受信に応答して、ＳＦＤ−ＤＤチャネル測定値に少なくとも部分的に基づき、受信データ信号１３６及び／又は少なくとも１つの受信制御信号１３７を変更するように構成されている。例えば、少なくとも１つの受信制御信号１３７は、第１の制御情報セットか、第２の制御情報セットか、又はそれら両方を変更することによって変更されてもよい。同様に、発信装置１１０の制御部１２０は、ＳＦＤ−ＤＤチャネル測定値に少なくとも部分的に基づいて、上述の信号転送方式のうちの１つから信号転送方式を選択するように更に構成されてもよい。
【００４５】
図２は、図１の無線通信システムを利用して信号転送装置及び宛先装置に制御情報を供給する方法２００の一例のフローチャートである。より具体的には、図２の方法は、（１）信号転送装置を介して宛先装置に第１のデータセットを供給し、（２）信号転送装置及び宛先装置に、両方とも第１のデータセットに関連付けられた第１の制御情報セット及び第２の制御情報セットを供給する方法を説明している。この方法は２０２において開始し、信号転送装置１３８において少なくとも１つの受信データ信号１３６を受信する。少なくとも１つの受信データ信号１３６は、第１のデータセットを含む。
【００４６】
ステップ２０４では、信号転送装置１３８及び宛先装置１１４において少なくとも１つの受信制御信号１３７を受信する。上述したように、少なくとも１つの受信制御信号１３７は、ただ１つの受信制御信号、又は複数の受信制御信号を含むことができる。少なくとも１つの受信制御信号１３７は、第１の制御情報セット及び第２の制御情報セットを含み、それらの両方が第１のデータセットに関連付けられている。第１の制御情報セットは、第１のデータセットに関連付けられており、かつ信号転送装置１３８が第１のデータセットを処理することに関する命令を含む。第１の制御情報セットは、第１のデータセットを後処理することと、第１のデータセットを復号することと、第１のデータセットを前処理して転送データを生成することとのうちの少なくとも１つに関する命令を含むこともできる。第２の制御情報セットは、第１のデータセットに関連付けられており、かつ宛先装置１１４が第１のデータセットを処理することに関する命令を含む。
【００４７】
信号転送装置１３８は、受信データ信号１３６を受信すると、第１の制御情報セットに従って転送信号１４８を生成する。転送信号１４８は、第１のデータセットに少なくとも部分的に基づく転送データを含む。ステップ２０６では、転送信号１４８を宛先装置１１４に送信する。宛先装置１１４は、転送信号１４８を受信すると、少なくとも１つの受信制御信号１３７の一部として宛先装置１１４に事前に送信された第２の制御情報セットに従って、転送信号１４８を処理する。
【００４８】
ステップ２０８において、宛先装置１１４に予想される時間遅延を供給する。予想される時間遅延は、宛先装置１１４における少なくとも１つの受信制御信号１３７の受信と、宛先装置１１４における転送信号１４８の受信との間の遅延である。予想される時間遅延は、宛先装置１１４に供給され、又は宛先装置１１４によって決定されてもよい。さらに、予想される時間遅延は、固定されてもよい、又は発信装置１１０と信号転送装置１３８との間の伝搬遅延と、信号転送装置１３８における処理遅延と、信号転送装置１３８と宛先装置１１４との間の伝搬遅延との予想／測定される和に基づいて決定されてもよい。
【００４９】
図２には明示的に示されていないが、方法２００は、宛先装置１１４が転送信号１４８を測定して信号転送装置宛先装置間（ＳＦＤ−ＤＤ）チャネルのチャネル測定値を取得することを含むこともできる。続いて、宛先装置１１４は、ＳＦＤ−ＤＤチャネル測定値を、信号転送装置１３８を介して直接的又は間接的に、受信データ信号１３６を送信した発信装置１１０に送信する。上述したように、宛先装置１１４は、フィードバック／確認応答信号の一部として発信装置１１０にＳＦＤ−ＤＤチャネル測定値を送信することもできる。
【００５０】
他の例では、方法２００はさらに、発信装置１１０が、宛先装置１１４から受信したＳＦＤ−ＤＤチャネル測定値に基づいて、受信データ信号１３６及び／又は少なくとも１つの受信制御信号１３７を変更することを含むことができる。発信装置１１０はまた、上述したように、ＳＦＤ−ＤＤチャネル測定値に少なくとも部分的に基づいて信号転送方式を選択することもできる。
【００５１】
当業者であれば、これらの教示に照らして、本発明の他の実施形態及び変更形態を容易に実施し得ることは明白である。上記の説明は、例示的なものであり、限定的なものではない。本発明は、特許請求の範囲によってのみ限定されるべきものであり、特許請求の範囲には、上述の詳細及び添付の図面を組み合わせて考慮した場合の、あらゆる実施形態及び変更形態が含まれる。したがって、本発明の範囲は、上記の説明を参照して判定されるのではなく、均等物の全範囲とともに、添付される請求の範囲を参照して判定されるべきである。
【図１】
2019512912.tif 000003
【図２】
2019512912.tif 000004
【国際調査報告】
2019512912.tif 000005
2019512912.tif 000006